(57)【要約】【課題】サーバに登録されている文書を携帯情報端末装置からその近くの印刷装置にて印刷させるとき、サーバにその印刷装置を指定するために、その印刷装置の識別情報を取得するステップが必要である。また、そのため、印刷装置と携帯情報端末装置との間における近接通信手段も必要とされている。【解決手段】電子文書が登録され、電子文書の印刷をいずれかの前記印刷装置に行わせる印刷管理装置は、登録された電子文書の印刷が、無線通信機能を有しており、前記印刷管理装置に対して、印刷される電子文書を指定すると共に自装置の位置情報を送ることができる携帯情報端末装置から無線通信にて指示されたとき、その印刷を行う印刷装置を、その携帯情報端末装置から送信された位置情報に基づいて決めるものとする。【選択図】図１
2008040525.tif 000002
【特許請求の範囲】
【請求項１】
登録された電子文書の印刷を行うシステムであって、
それぞれの装置が、指定された電子文書についてその印刷を行う複数の印刷装置と、
電子文書が登録され、電子文書の印刷をいずれかの前記印刷装置に行わせる印刷管理装置と、
無線通信機能を有しており、前記印刷管理装置に対して、印刷される電子文書を指定すると共に自装置の位置情報を送ることができる携帯情報端末装置と、
を含み備え、
前記印刷管理装置は、登録された電子文書の印刷が前記携帯情報端末装置から無線通信にて指示されたとき、その印刷を行う印刷装置を、その携帯情報端末装置から送られた前記位置情報に基づいて、決めることを特徴とする電子文書印刷システム。
【請求項２】
前記携帯情報端末装置は、測位機能を有しており、それによって測位された位置に係る情報を自装置の前記位置情報としたことを特徴とする請求項１記載の電子文書印刷システム。
【請求項３】
前記携帯情報端末装置は、無線基地局を通してなされる無線通信機能を有しており、自装置と通信リンクが確立された無線基地局の識別情報を自装置の位置情報としたことを特徴とする請求項１に記載の電子文書印刷システム。
【請求項４】
前記携帯情報端末装置は、無線基地局を通してなされる無線通信機能を有しており、自装置と通信リンクが確立された複数の無線基地局について、各局の識別情報と無線受信強度に係る情報とを自装置の位置情報としたことを特徴とする請求項１に記載の電子文書印刷システム。
【請求項５】
登録された電子文書の印刷を行うシステムであって、
それぞれの装置が、指定された電子文書についてその印刷を行う複数の印刷装置と、
電子文書が登録され、電子文書の印刷をいずれかの前記印刷装置に行わせる印刷管理装置と、
無線基地局を通してなされる無線通信機能を有しており、前記印刷管理装置に対して、印刷される電子文書を指定することができる携帯情報端末装置と、
前記携帯情報端末装置と無線通信を行う無線基地局からの情報によって、前記携帯情報端末装置の現在の位置情報を生成して管理する管理サーバと、
を含み備え、
前記印刷管理装置は、登録された電子文書の印刷が前記携帯情報端末装置から無線通信にて指示されたとき、その印刷を行う印刷装置を、前記管理サーバが管理しているその携帯情報端末装置の現在の前記位置情報に基づいて、決めることを特徴とする電子文書印刷システム。
【請求項６】
前記印刷管理装置は、登録された電子文書についての情報を管理する電子文書管理手段と、前記印刷装置に関するプロファイル情報およびその印刷装置の位置情報を管理する印刷装置情報管理手段と、前記印刷装置の動作を制御してその印刷装置に電子文書を印刷させる印刷装置制御手段とを有したことを特徴とする請求項１又は５に記載の電子文書印刷システム。
【請求項７】
前記印刷管理装置は、登録された電子文書についての情報を管理する電子文書管理手段と、前記印刷装置に関するプロファイル情報およびをその印刷装置の位置情報を管理する印刷装置情報管理手段と、前記印刷装置の動作を制御してその印刷装置に電子文書を印刷させる印刷装置制御手段とを有しており、
さらに、その印刷装置情報管理手段は、前記無線基地局の識別情報を、その無線基地局の通信範囲内に位置する前記印刷装置に関するプロファイル情報と対にして管理していることを特徴とする請求項３又は５に記載の電子文書印刷システム。
【請求項８】
前記印刷装置に関する前記プロファイル情報には、その印刷装置の使用許可情報を含むことを特徴とする請求項６又は７に記載の電子文書印刷システム。
【請求項９】
位置情報を取得して登録するシステムであって、
位置情報が登録され、その情報を管理する管理装置と、
無線通信機能を有しており、前記管理装置に対して、自装置の位置情報を送ることができる携帯情報端末装置と、
を含み備え、
前記管理装置は、前記携帯情報端末装置から送られたその位置情報に基づく情報を登録対象の位置を示す情報として登録することを特徴とする位置情報登録システム。
【請求項１０】
前記携帯情報端末装置は、測位機能を有しており、それによって測位された位置に係る情報を自装置の前記位置情報としたことを特徴とする請求項９記載の位置情報登録システム。
【請求項１１】
前記携帯情報端末装置は、無線基地局を通してなされる無線通信機能を有しており、自装置と通信リンクが確立された無線基地局の識別情報を自装置の位置情報としたことを特徴とする請求項９に記載の位置情報登録システム。
【請求項１２】
前記携帯情報端末装置は、無線基地局を通してなされる無線通信機能を有しており、自装置と通信リンクが確立された複数の無線基地局について、各局の識別情報と無線受信強度に係る情報とを自装置の位置情報としたことを特徴とする請求項９に記載の位置情報登録システム。
【発明の詳細な説明】
【技術分野】
【０００１】
本発明は、携帯情報端末装置の利用者が、ファイルサーバ上の電子文書の中から所望のものを選択し、利用者の近くに設置された印刷装置に印刷させることができるシステムに関するものである。
【背景技術】
【０００２】
近年、企業情報漏洩対策の強化に伴い、パーソナルコンピュータ（パソコン）やメモリの社外への持ち出しが規制され、出張先での電子文書（以下、単に文書ともいう）の閲覧や印刷が困難となっている。一方、携帯情報端末装置は、音声通話機能以外にブラウザによるＷｏｒｌｄ  Ｗｉｄｅ  Ｗｅｂ（Ｗｅｂ）閲覧機能や、電子メール機能等を備えていることから、そのような携帯情報端末装置を利用して、出張先の拠点などで必要な文書をそこに設置された印刷装置にて自由に印刷できることが要望されている。しかしながら、そのような印刷を行う場合には、携帯情報端末装置側において印刷装置のＩｎｔｅｒｎｅｔ  Ｐｒｏｔｏｃｏｌ（ＩＰ）アドレスあるいはＵｎｉｆｏｒｍ  Ｒｅｓｏｕｒｃｅ  Ｌｏｃａｔｏｒ（ＵＲＬ）などのその印刷装置を特定する識別情報を設定したり、印刷装置固有のプリンタドライバを携帯情報端末装置に事前にインストールしておくなどの必要がある。これらの問題に対して、例えば特開２００２−８２８６６号公報に公開されている技術では、以下の方法で解決を図っている。
【０００３】
まず、携帯情報端末装置は、赤外線や無線などの近接通信手段を用いて近くの印刷装置からその識別情報（アドレス等）を取得した後、ファイルサーバなどの管理装置に対して印刷データを指定すると共にその取得した識別情報を送信する。次に、管理装置は識別情報で特定された印刷装置に対して印刷データの所在情報を送信する。そして、印刷装置は印刷データの所在情報を基にそこにある印刷データを取得してその印刷を行う。
【特許文献１】特開２００２−８２８６６号公報
【発明の開示】
【発明が解決しようとする課題】
【０００４】
しかしながら、上記従来の技術では、管理装置に登録されている文書を携帯情報端末装置からその近くの印刷装置にて印刷させるとき、印刷を行う者にとって、印刷装置を目の前にしながらも、わざわざ、管理装置にその印刷装置を指定するために、携帯情報端末装置にてその印刷装置の識別情報を取得するステップが必要とされ、煩わしいものであった。また、そのため、印刷装置と携帯情報端末装置との間における近接通信手段も必要とされ、そのような近接通信手段を有した装置でなければ利用できないという課題があった。
【０００５】
本発明は、このような従来の課題を解決するものであり、携帯情報端末装置が近くの印刷装置から識別情報を取得するためのステップを必要とせず、さらに印刷装置に携帯情報端末装置との近接通信手段が無くても、印刷を行う者がその近くの印刷装置に電子文書を印刷させることができることを目的とする。
【課題を解決するための手段】
【０００６】
本発明は、上記目的を達成するために、登録された電子文書の印刷を行うシステムを、それぞれの装置が、指定された電子文書についてその印刷を行う複数の印刷装置と、電子文書が登録され、電子文書の印刷をいずれかの前記印刷装置に行わせる印刷管理装置と、無線通信機能を有しており、前記印刷管理装置に対して、印刷される電子文書を指定すると共に自装置の位置情報を送ることができる携帯情報端末装置とを含み備え、
前記印刷管理装置は、登録された電子文書の印刷が前記携帯情報端末装置から無線通信にて指示されたとき、その印刷を行う印刷装置を、その携帯情報端末装置から送信された前記位置情報に基づいて、決めることを特徴としたものとする。
【０００７】
また、登録された電子文書の印刷を行うシステムであって、それぞれの装置が、指定された電子文書についてその印刷を行う複数の印刷装置と、電子文書が登録され、電子文書の印刷をいずれかの前記印刷装置に行わせる印刷管理装置と、無線基地局を通してなされる無線通信機能を有しており、前記印刷管理装置に対して、印刷される電子文書を指定することができる携帯情報端末装置と、前記携帯情報端末装置と無線通信を行う無線基地局からの情報によって、前記携帯情報端末装置の現在の位置情報を生成して管理する管理サーバとを含み備え、
前記印刷管理装置は、登録された電子文書の印刷が前記携帯情報端末装置から無線通信にて指示されたとき、その印刷を行う印刷装置を、前記管理サーバが管理しているその携帯情報端末装置の現在の前記位置情報に基づいて、決めることを特徴としたものとしてもよい。
【０００８】
また、位置情報を取得して登録するシステムであって、位置情報が登録され、その情報を管理する管理装置と、無線通信機能を有しており、前記管理装置に対して、自装置の位置情報を送ることができる携帯情報端末装置とを含み備え、
前記管理装置は、前記携帯情報端末装置から送られたその位置情報に基づく情報を登録対象の位置を示す情報として登録することを特徴としたものとしてもよい。
【発明の効果】
【０００９】
本発明は、印刷装置が設置された場所において、携帯情報端末装置を使って、印刷管理装置に登録されている電子文書を選択し、印刷部数などの設定を行った後、印刷管理装置に印刷指示を行うだけで、その印刷装置に印刷させることができる。つまり、印刷を行う当該システムの利用者は、近接通信手段によって印刷装置の識別情報を取得するなどの印刷装置を特定するための操作をすることなく、目前にある印刷装置にて印刷が行える。
【００１０】
また、携帯情報端末装置と無線通信を行う無線基地局からの情報によって、携帯情報端末装置の現在の位置情報を生成して管理する管理サーバを設ければ、印刷管理装置が管理サーバから携帯情報端末装置の現在の位置情報を取得することができるので、利用者は、印刷装置が設置された場所において携帯情報端末装置を所持しているだけで、印刷装置を特定するアドレス情報の入力や印刷装置からのその位置情報の取得を行うことなく、電子文書の印刷を行うこともできる。
【００１１】
また、位置情報を取得して登録するシステムとしたときには、登録対象である印刷装置に関するプロファイル情報および位置情報を管理装置に登録するとき、その位置情報を特定するために各印刷装置がどの無線基地局の通信カバーエリアに存在しているかを、印刷装置が設置された場所において携帯情報端末装置を使用するだけで検知できるので、別途の手段によって係る情報を取得する必要がなく、印刷装置の位置を示す情報を簡単に登録することもできるという効果を奏する。
【発明を実施するための最良の形態】
【００１２】
本発明の実施の第１の形態は、登録された電子文書の印刷を行うシステムであって、それぞれの装置が、指定された電子文書についてその印刷を行う複数の印刷装置と、電子文書が登録され、電子文書の印刷をいずれかの前記印刷装置に行わせる印刷管理装置と、無線通信機能を有しており、前記印刷管理装置に対して、印刷される電子文書を指定すると共に自装置の位置情報を送ることができる携帯情報端末装置とを含み備え、前記印刷管理装置は、登録された電子文書の印刷が前記携帯情報端末装置から無線通信にて指示されたとき、その印刷を行う印刷装置を、その携帯情報端末装置から送られた前記位置情報に基づいて、決めることを特徴とする電子文書印刷システムである。
【００１３】
ここで、電子文書印刷システムは、各印刷装置とその置かれている位置との関係、及び携帯情報端末装置から送られてくる位置情報とその情報が示す位置の近くにある印刷装置の位置との関係を示すデータベースを有しており、携帯情報端末装置から送られた位置情報とそのデータベースとによって印刷管理装置が携帯情報端末装置から最も近い位置にある印刷装置を選定することができる。
【００１４】
このような構成によって、利用者は、印刷装置が設置された場所において携帯情報端末装置を使用するだけで、印刷装置を特定するアドレス情報の入力や印刷装置からのその位置情報の取得を行うことなく、電子文書の印刷をその印刷装置にて行うことができる。つまり、印刷を行う利用者は、近接通信手段によって印刷装置の識別情報を取得するなどの印刷装置を特定するための操作をすることなく、目前にある印刷装置にて印刷が行える。
【００１５】
本発明の実施の第２の形態は、実施の第１の形態において、前記携帯情報端末装置は、Ｇｌｏｂａｌ  Ｐｏｓｉｔｉｏｎｉｎｇ  Ｓｙｓｔｅｍ（ＧＰＳ）などの測位機能を有しており、それによって測位された位置に係る情報を自装置の前記位置情報としたことを特徴とするものである。
【００１６】
このような構成によって、携帯情報端末装置を、ＧＰＳなどの測位機能を有したものとすることで、測位された位置に係る情報を自装置の位置情報とすることができ、位置情報を絶対的でかつ精度の高いものとすることができる。
【００１７】
本発明の実施の第３の形態は、実施の第１の形態の電子文書印刷システムにおいて、前記携帯情報端末装置は、無線基地局を通してなされる無線通信機能を有しており、自装置と通信リンクが確立された無線基地局の識別情報を自装置の位置情報としたことを特徴とするものである。
【００１８】
このような構成によって、無線基地局を通してなされる無線通信機能を有した携帯情報端末装置において、自装置と通信リンクが確立された無線基地局の識別情報を自装置の位置情報として利用することで、携帯情報端末装置は、設置位置が固定されている無線基地局の識別情報をもって自装置の位置を特定できる位置情報とすることができるので、位置情報を得るためだけの位置検出手段が不要であり、コストアップなしに本発明に係る構成をとることができる。
【００１９】
本発明の実施の第４の形態は、実施の第１の形態において、前記携帯情報端末装置は、無線基地局を通してなされる無線通信機能を有しており、自装置と通信リンクが確立された複数の無線基地局について、各局の識別情報と無線受信強度に係る情報とを自装置の位置情報としたことを特徴とするものである。
【００２０】
このような構成によって、無線基地局を通してなされる無線通信機能を有した携帯情報端末装置において、自装置と通信リンクが確立された複数の無線基地局について、各局の識別情報と無線受信強度に係る情報とを自装置の位置情報とすることで、携帯情報端末装置が、複数の無線基地局と通信リンクが確立されたとき、すなわち、複数の無線基地局からそれぞれある程度離れた中間の位置にあるようなときにも、各局からの無線受信の強度を位置情報に含めることにより、印刷管理装置は、各局の位置関係と各無線受信強度とに基づいて携帯情報端末装置の位置を算定することができる。そして、携帯情報端末装置の位置を複数の無線基地局の位置情報に基づいて導けるので、携帯情報端末装置の位置をより精度高く求めることができる。また、最も近くの無線基地局がダウンなどしていても、２又は３以上の通信リンクがある限り、依然、携帯情報端末装置の位置を求めることができる。
【００２１】
本発明の実施の第５の形態は、登録された電子文書の印刷を行うシステムであって、それぞれの装置が、指定された電子文書についてその印刷を行う複数の印刷装置と、電子文書が登録され、電子文書の印刷をいずれかの前記印刷装置に行わせる印刷管理装置と、無線基地局を通してなされる無線通信機能を有しており、前記印刷管理装置に対して、印刷される電子文書を指定することができる携帯情報端末装置と、前記携帯情報端末装置と無線通信を行う無線基地局からの情報によって、前記携帯情報端末装置の現在の位置情報を生成して管理する管理サーバを含み備え、前記印刷管理装置は、登録された電子文書の印刷が前記携帯情報端末装置から無線通信にて指示されたとき、その印刷を行う印刷装置を、前記管理サーバが管理しているその携帯情報端末装置の現在の前記位置情報に基づいて、決めることを特徴とするものである。
【００２２】
このような構成によって、印刷管理装置が管理サーバから携帯情報端末装置の現在の位置情報を取得することができるので、利用者は、印刷装置が設置された場所において携帯情報端末装置を所持しているだけで、印刷装置を特定するアドレス情報の入力や印刷装置からのその位置情報の取得を行うことなく、電子文書の印刷を行うことができる。
【００２３】
本発明の実施の第６の形態は、実施の第１又は第５の形態の電子文書印刷システムにおいて、前記印刷管理装置は、登録された電子文書についての情報を管理する電子文書管理手段と、前記印刷装置に関するプロファイル情報およびその印刷装置の位置情報を管理する印刷装置情報管理手段と、前記印刷装置の動作を制御してその印刷装置に電子文書を印刷させる印刷装置制御手段とを有したことを特徴とするものである。
【００２４】
このような構成によって、印刷管理装置は、携帯情報端末装置を通して、利用者にアクセス可能な電子文書情報を提供することができ、また、携帯情報端末装置から送信され又は管理サーバ管理している携帯情報端末装置の位置情報に基づいて決められる印刷装置についてそのプロファイル情報も提供することができるので、利用者は、その電子文書情報を基に選択した電子文書を、利用者の現在位置近くに設置された印刷装置の機能・性能等をそのプロファイル情報を基に確認してからその印刷装置にて印刷することができる。
【００２５】
本発明の実施の第７の形態は、実施の第３又は第５の形態の電子文書印刷システムにおいて、前記印刷管理装置は、登録された電子文書についての情報を管理する電子文書管理手段と、前記印刷装置に関するプロファイル情報およびをその印刷装置の位置情報を管理する印刷装置情報管理手段と、前記印刷装置の動作を制御してその印刷装置に電子文書を印刷させる印刷装置制御手段とを有しており、さらに、その印刷装置情報管理手段は、前記無線基地局の識別情報を、その無線基地局の通信カバーエリアに位置する前記印刷装置に関するプロファイル情報と対にして管理していることを特徴とするものである。
【００２６】
このような構成によって、携帯情報端末装置から送信され又は管理サーバ管理している携帯情報端末装置の位置情報に基づいて利用者が現在位置すると特定された場所近くに設置された一群の印刷装置を、そのプロファイル情報と共に利用者に示すことができ、利用者は目的に応じ最適の印刷装置を選ぶことができる。
【００２７】
本発明の実施の第８の形態は、実施の第６又は第７の形態の電子文書印刷システムにおいて、前記印刷装置に関する前記プロファイル情報には、その印刷装置の使用許可情報を含むことを特徴とするものである。
【００２８】
このような構成によって、印刷装置を利用できる利用者を限定し、印刷を許可されていない利用者の使用を禁止することができる。
【００２９】
本発明の実施の第９の形態は、位置情報を取得して登録するシステムであって、位置情報が登録され、その情報を管理する管理装置と、無線通信機能を有しており、前記管理装置に対して、自装置の位置情報を送ることができる携帯情報端末装置とを含み備え、前記管理装置は、前記携帯情報端末装置から送られたその位置情報に基づく情報を登録対象の位置を示す情報として登録することを特徴とするものである。
【００３０】
このような構成によって、登録対象である印刷装置に関するプロファイル情報および位置情報を管理装置に登録するとき、その位置情報を特定するために各印刷装置がどの無線基地局の通信カバーエリアに存在しているかを、印刷装置が設置された場所において携帯情報端末装置を使用するだけで検知できるので、別途の手段によって係る情報を取得する必要がなく、印刷装置の位置を示す情報を簡単に登録することができる。
【００３１】
本発明の実施の第１０の形態は、実施の第９の形態の位置情報登録システムにおいて、前記携帯情報端末装置は、ＧＰＳなどの測位機能を有しており、それによって測位された位置に係る情報を自装置の前記位置情報としたことを特徴とするものである。
【００３２】
このような構成によって、携帯情報端末装置を、ＧＰＳなどの測位機能を有したものとすることで、測位された位置に係る情報を自装置の位置情報とすることができるので、位置情報登録システムは、印刷装置の位置を示す情報を絶対的でかつ精度の高いものとして登録することができる。
【００３３】
本発明の実施の第１１の形態は、実施の第９の形態の位置情報登録システムにおいて、前記携帯情報端末装置は、無線基地局を通してなされる無線通信機能を有しており、自装置と通信リンクが確立された無線基地局の識別情報を自装置の位置情報としたことを特徴とする請求項９に記載の位置情報登録システム。
【００３４】
このような構成によって、無線基地局を通してなされる無線通信機能を有した携帯情報端末装置において、自装置と通信リンクが確立された無線基地局の識別情報を自装置の位置情報として利用することで、位置情報登録システムは、携帯情報端末装置が、設置位置が固定されている無線基地局の識別情報をもって自装置の位置を特定できる位置情報とすることができるので、位置情報を得るためだけの位置検出手段が不要であり、コストアップなしに本発明に係る構成を取ることができる。
【００３５】
本発明の実施の第１２の形態は、実施の第９の形態の位置情報登録システムにおいて、前記携帯情報端末装置は、無線基地局を通してなされる無線通信機能を有しており、自装置と通信リンクが確立された複数の無線基地局について、各局の識別情報と無線受信強度に係る情報とを自装置の位置情報としたことを特徴とする請求項９に記載の位置情報登録システム。
【００３６】
このような構成によって、無線基地局を通してなされる無線通信機能を有した携帯情報端末装置において、自装置と通信リンクが確立された複数の無線基地局について、各局の識別情報と無線受信強度に係る情報とを自装置の位置情報とすることで、位置情報登録システムは、携帯情報端末装置が、複数の無線基地局と通信リンクが確立されたとき、すなわち、複数の無線基地局からそれぞれある程度離れた中間の位置にあるようなときにも、各局からの無線受信の強度を位置情報に含めることにより、各局の位置関係と各無線受信強度とに基づいて携帯情報端末装置の位置を算定することができる。そして、登録対象の位置を複数の無線基地局の位置情報に基づいて導けるので、印刷装置の位置をより精度高く求めて登録することができる。また、最も近くの無線基地局がダウンなどしていても、２又は３以上の通信リンクがある限り、依然、携帯情報端末装置の位置を求めることができる。
【実施例】
【００３７】
以下、本発明の実施例について図面を参照しながら説明する。
【００３８】
（実施例１）
実施例１は、登録された電子文書の印刷を行う電子文書印刷システムである。
【００３９】
図１は、本発明に係る電子文書印刷システム１である。
【００４０】
図１の電子文書印刷システム１において、携帯情報端末装置２は、ＰＨＳ端末（Ｐｅｒｓｏｎａｌ  Ｈａｎｄｙｐｈｏｎｅ  Ｓｙｓｔｅｍ）で、無線基地局３と音声などのユーザ情報や制御情報を通信する。
【００４１】
ＰＨＳ−ＧＷ（Ｇａｔｅ  Ｗａｙ）４は、無線基地局３から送信されるユーザ情報をＩＰパケットデータに変換し、ＬＡＮ（Ｌｏｃａｌ  Ａｒｅａ  Ｎｅｔｗｏｒｋ）５を経由して他のネットワーク接続装置へ送信する。また受信したＩＰパケットデータから取り出したユーザ情報を無線基地局３へ送信する。
【００４２】
無線基地局３は、通信のカバーエリアが小さいので、およそ数１０ｍの間隔で設置され、それぞれの通信カバーエリアはゾーンＺ１，ゾーンＺ２，ゾーンＺ３で示されている。
【００４３】
印刷管理装置６は、Ｗｅｂサーバとして構成され、電子文書の保存あるいは管理と、携帯情報端末装置２との間で無線基地局３、ＰＨＳ−ＧＷ４およびＬＡＮ５を経由してデータの送受信を行い、さらに印刷装置７への印刷指示を行う。
【００４４】
印刷装置７は、印刷管理装置６からの印刷指示を受けて電子文書の印刷を行う。本実施例では、印刷装置７は２台あって、１台はゾーンＺ１に、もう１台はゾーンＺ３に設置されている。
【００４５】
ここで、電子文書印刷時における携帯情報端末装置２の操作は、次のとおりである。
【００４６】
利用者は、使用する印刷装置７の設置場所において、携帯情報端末装置２から印刷管理装置６に接続した後、ユーザ認証を行いログインする。次に、携帯情報端末装置２に搭載されているＷｅｂブラウザを用いて利用者がアクセスできる電子文書ファイル名を携帯情報端末装置２の画面上に表示させ、表示された電子文書ファイル名から印刷したい電子文書ファイル名を選択する。そして、画面上の“印刷”を選択すると印刷設定画面が表示され、印刷部数などを入力した後、画面上の“ＯＫ”を選択すると印刷が実行される。
【００４７】
次に、図２は、図１の電子文書印刷システム１における携帯情報端末装置２のブロック図である。
【００４８】
図２において、携帯情報端末装置２は、プログラムを実行する中央処理ユニット（ＣＰＵ）８と、主メモリやワークエリア等として機能するランダムアクセスメモリ（ＲＡＭ）９と、プログラムおよびデータを記憶する読出し専用メモリ（ＲＯＭ）１０と、利用者が入力するためのキーボード１１と、データを表示するためのディスプレイ１２と、アンテナ部１３と、搬送周波数（数ＧＨｚ）の無線信号からベースバンド信号への変換及びベースバンド信号から無線信号への変換を行う高周波（ＲＦ）部１４と、ベースバンド信号からディジタルデータへの変換及びディジタルデータからベースバンド信号への変換を行う変復調処理部１５と、無線基地局３と複数の携帯情報端末装置２との間で一つの搬送周波数を用いて双方向に通信を行うための制御を行う無線アクセス・伝送制御部１６と、音声データの圧縮／伸長処理を行う音声処理部１７と、スピーカ１８と、マイク１９と、チャネル切り替え・ハンドオーバ動作のために通信状態の検出を行う品質監視部２０とから構成される。
【００４９】
ここで、ＲＡＭ９には、携帯情報端末装置２の現在位置の通信エリアをカバーしている無線基地局３の識別情報（ＣＳ−ＩＤ）が記憶されている。また、ＲＯＭ１０には、Ｗｅｂブラウザプログラムが格納されており、このＷｅｂブラウザによって、携帯情報端末装置２は、受信したＨｙｐｅｒ  Ｔｅｘｔ  Ｍａｒｋｕｐ  Ｌａｎｇｕａｇｅ（ＨＴＭＬ）コンテンツをディスプレイ１４に表示したり、ユーザ入力情報をＷｅｂサーバに送信したりすることができる。
【００５０】
次に、図３は、図１の電子文書印刷システム１における無線基地局３のブロック図である。
【００５１】
無線基地局３は、携帯情報端末装置２の無線中継装置として呼制御、通話制御、回線監視、携帯情報端末装置２移動時の接続替え、終話制御などの処理を行う。また、無線基地局３は識別情報（ＣＳ−ＩＤ）を保有しており、その識別情報は携帯情報端末装置２の位置情報として利用される。
【００５２】
図３において、無線基地局３は、プログラムを実行するＣＰＵ２１と、主メモリやワークエリア等として機能するＲＡＭ２２と、プログラムおよびデータを記憶するＲＯＭ２３と、チャネル切り替え・ハンドオーバ動作のために通信状態の検出を行う品質監視部２４と、アンテナ部２５と、搬送周波数（数ＧＨｚ）の無線信号からベースバンド信号への変換及びベースバンド信号から無線信号への変換を行うＲＦ部２６と、ベースバンド信号からディジタルデータへの変換、及びディジタルデータからベースバンド信号への変換を行う変復調処理部２７と、無線基地局３と複数の携帯情報端末装置２との間で一つの搬送周波数を用いて双方向に通信を行うための制御を行う無線アクセス・伝送制御部２８と、音声データ符号化方式の変換を行う適応的差分パルス符号変調（ＡＤＰＣＭ）トランスコーデック２９と、ＰＨＳ−ＧＷ４と接続するためのディジタルインターフェース３０とから構成される。
【００５３】
ここで、図４を用いて携帯情報端末装置２が無線基地局３の識別情報を取得する仕組みについて説明する。
【００５４】
一般にＰＨＳ端末を用いた電話サービスでは、ＰＨＳ端末を呼び出すために、ＰＨＳ端末の現在位置をカバーする無線基地局の識別情報を取得する必要がある。識別情報は以下のステップで取得される。
１）  携帯情報端末装置２は、ゾーンＺ１からゾーンＺ２に移動すると、ゾーンＺ２の無線基地局＃２から報知される無線基地局の識別情報（ＣＳ−ＩＤ＝００２）を受信する。携帯情報端末装置２は、受信した識別情報がすでに記憶されている識別情報（ＣＳ−ＩＤ＝００１）と異なるので、記憶している識別情報を無線基地局＃２の識別情報（ＣＳ−ＩＤ＝００２）に更新し、無線基地局＃２へ位置登録情報を送出する。
２）  位置登録情報は、ＰＨＳ−ＧＷ４を経由してＰＨＳサーバ３１に送られ、ＰＨＳサーバ３０が具備する位置情報データベース（ＤＢ）３２に、携帯情報端末装置２の電話番号と併せて無線基地局＃２の識別情報（ＣＳ−ＩＤ＝００２）が登録される。
【００５５】
以上により、携帯情報端末装置２には現在位置の通信エリアをカバーしている無線基地局＃２の識別情報が記憶され、また位置情報ＤＢ３２にも同様の情報が登録される。
【００５６】
次に、図５は、携帯情報端末装置２から印刷管理装置６の電子文書印刷サービスへのログイン時、利用者の認証認可を行うために携帯情報端末装置２に表示される画面である。
【００５７】
図５において、利用者のユーザ識別子（ＩＤ）（ａｂｃ１２３）とパスワード（＊＊＊＊＊＊＊＊）を入力し、ログイン３３を選択すると、上記ユーザＩＤとパスワードが印刷管理装置６に送信され、許可されると印刷管理装置６にログインすることができる。
【００５８】
図６は、携帯情報端末装置２の画面を示す。
【００５９】
図６において、（ａ）は、ログイン後の画面（文書印刷画面と呼ぶ）であり、利用者が文書ファイル一覧３４あるいは文書ファイル名の一部を入力して検索３５を選択すると、利用者がアクセスできる全ての文書ファイル名あるいは検索された文書ファイル名３６が表示される。
【００６０】
（ｂ）は、文書ファイル名が表示された携帯情報端末装置２の画面であり、利用者が印刷したい電子文書の文書ファイル名３６を選択し、印刷３７を選択すると、印刷設定画面が表示される。
【００６１】
（ｃ）は、印刷設定画面が表示された携帯情報端末装置２の画面であり、利用者が現在いる場所に設置されている印刷装置７の機種名−装置番号が表示される。
【００６２】
利用者が、図６（ｃ）において、両面印刷やカラー印刷の印刷プロパティ３８を選択し、印刷部数３９（５）を入力し、ＯＫ４０を選択すると、印刷管理装置６に印刷が指示され、印刷管理装置６は、表示されている印刷装置７に対して印刷を指示する。
【００６３】
次に、図７は、図１の電子文書印刷システム１における印刷管理装置６のブロック図である。
【００６４】
図７において、印刷管理装置６は、通信プロトコルの処理を行うネットワーク制御部４１と、Ｗｅｂサーバ機能や印刷管理装置全体の制御機能を持つ印刷管理装置制御手段４２と、ユーザ管理ＤＢ４３と文書フォルダ４４によりユーザの管理および電子文書の管理を行う電子文書管理手段４５と、印刷装置管理ＤＢ４６により印刷装置のプロファイルや位置情報を管理する印刷装置情報管理手段４７と、ラスタライズ手段４８により電子文書を印刷データに変換し、印刷装置に印刷を行わせる印刷装置制御手段４９とから構成される。
【００６５】
ここで、ラスタライズ手段４８は、各種フォーマットの文書ファイルからグラフィックコマンドに展開する機能と、グラフィックコマンドから印刷用データに変換する印刷装置７に対応したプリンタドライバを備えている。また、印刷装置制御手段は、ＬＰＲプロトコル（Ｌｉｎｅ  Ｐｒｉｎｔｅｒ  Ｄａｅｍｏｎ  Ｐｒｏｔｏｃｏｌ）やＦＴＰプロトコル（Ｆｉｌｅ  Ｔｒａｎｓｆｅｒ  Ｐｒｏｔｏｃｏｌ）あるいはＩＰＰプロトコル（Ｉｎｔｅｒｎｅｔ  Ｐｒｉｎｔｉｎｇ  Ｐｒｏｔｏｃｏｌ）で印刷用データを印刷装置７に送信する。
【００６６】
次に、図８は、図７のユーザ管理ＤＢ４３のデータ構造を示す図である。
【００６７】
図８において、ユーザ管理ＤＢ４３は、“ユーザＩＤ”、“ユーザ名”、“グループ名”、“Ｅメールアドレス”、“電話番号”、“パスワード”、及び“文書フォルダパス”のフィールドで構成される。
【００６８】
ここで、“ユーザＩＤ”および“パスワード”は、携帯情報端末装置２から印刷管理装置６にログインする時の認証認可に利用される。また、“グループ名”は、ユーザが所属するグループを示し、ユーザが使用可能な印刷装置７を特定するために利用される。また、“文書フォルダパス”は、ログインしたユーザがアクセスできる電子文書が保存されているフォルダへのパス情報である。また、“Ｅメールアドレス”は、電子メールの添付文書を印刷する時に、メールサーバから印刷管理装置６に添付文書を転送し、添付文書に付与されているＥメールアドレスから添付文書を文書フォルダ４４のユーザフォルダに格納するために利用される。また、“ユーザＩＤ”から“電話番号”を特定し、さらにＰＨＳサーバ３１が具備する位置情報データベース３２に登録されている電話番号から無線基地局の識別情報を特定することで、“ユーザＩＤ”から無線基地局の識別情報を取得することができる。なお、これらのフィールド情報は、パソコン等から印刷管理装置６に管理者モードでログインして登録を行う。
【００６９】
次に、図９は、図７の文書フォルダのフォルダおよびファイルの構成図である。
【００７０】
図９において、文書フォルダ５０の下にユーザ単位のフォルダ５１が設けられ、電子文書が保存されている。
【００７１】
次に、図１０は、図７の印刷装置管理ＤＢ４６のデータ構造を示す図である。
【００７２】
図１０において、印刷装置管理ＤＢ４６は、“機種名−装置番号”、“メーカ名”、“ＩＰアドレス”、“グループ名”、“両面印刷”、“カラー印刷”のプロファイル情報と、“位置情報”のフィールドから構成される。
【００７３】
ここで“位置情報”には無線基地局３の４２ビット識別情報が登録されている。また、“グループ名”には、印刷装置の使用を許可されているグループ名が登録されている。
【００７４】
以上のような構成において、まず、図１１から図１３までの電子文書印刷処理フローチャートを用いて、電子文書印刷処理について説明する。
【００７５】
図１１において、ステップＳ２０１で利用者が携帯情報端末装置２から電子文書印刷サービスのＵＲＬを入力すると、ＨｙｐｅｒＴｅｘｔ  Ｔｒａｎｓｆｅｒ  Ｐｒｏｔｏｃｏｌ（ＨＴＴＰ）プロトコルでログイン画面要求のメッセージが印刷管理装置６に送信され、ステップＳ２０２でメッセージを受信した印刷管理装置６は、ログイン画面（図５）を携帯情報端末装置２に送信する。
【００７６】
ステップＳ２０３で利用者が携帯情報端末装置２の画面からユーザＩＤおよびパスワードを入力し、ログインを選択すると、これらの認証情報は印刷管理装置６に送信される。
【００７７】
ステップＳ２０４で印刷管理装置６は、受信したユーザＩＤおよびパスワードをユーザ管理ＤＢに登録されているかを確認する。登録が確認されると印刷管理装置６は、文書印刷画面（図６（ａ））を携帯情報端末装置２に送信する。登録が確認されない場合には、再度ログイン画面（図５）を送信し、再入力を促す。
【００７８】
ステップＳ２０５で利用者は文書印刷画面（図６（ａ））から、利用者がアクセスできる文書ファイル一覧の表示３４あるいは文書ファイル名の一部あるいは全部の文字列を入力して検索３５を選択すると、“文書ファイル一覧”メッセージあるいは“検索”メッセージと入力された文書ファイル名の文字列が文書選択メッセージとして印刷管理装置６に送信される。
【００７９】
ステップＳ２０６で電子文書管理手段４５は、ログインした利用者のユーザＩＤからユーザ管理ＤＢ４３内の文書フォルダパスを特定し、“文書ファイル一覧”が指定されている場合には、上記フォルダパスの下に保存されている文書ファイル名すべてを携帯情報端末装置２に送信する。一方、“検索”が指定されている場合には、上記フォルダパスの下に保存されている文書ファイル名から、指定された文書ファイル名の一部あるいは全ての文字列を含む文書ファイル名を携帯情報端末装置２に送信し、ステップＳ２０７で携帯情報端末装置２の画面に文書ファイル名３６と印刷３７が表示される（図６（ｂ））。
【００８０】
ステップＳ２０８で電子文書（３６）を選択し、印刷３７を選択すると、電子文書ファイル名と携帯情報端末装置２が記憶している位置情報（＝無線基地局の識別情報）とを印刷管理装置６に送信する。ここで、印刷管理装置６の上記位置情報の取得は、図１３のステップＳ２１４で位置情報データベース３２から印刷管理装置６が位置情報を取得しても実現することができる。
【００８１】
ステップＳ２０９で印刷装置情報管理手段４７は、特定された位置情報をもとに印刷装置管理ＤＢ４６から印刷装置７を特定する。そしてユーザＩＤから特定される利用者の所属するグループ名が上記印刷装置７に登録されているかを確認し、登録されていれば、装置名−装置番号、プロパティ３８（両面印刷、カラー印刷）および印刷部数３９入力の表示に係る印刷設定画面（図６（ｃ））を携帯情報端末装置２に送信する。もし登録されていなければ、印刷装置７の使用が許可されていない旨のメッセージを送信し、利用者に他の印刷装置７を使用することを促す。
【００８２】
ステップＳ２１０で印刷プロパティ３８（両面、カラー）を選択し、“部数”３９を入力した後、“ＯＫ”４０を選択すると、印刷プロパティならびに印刷部数が印刷管理装置６に送信される。
【００８３】
図１２において、ステップＳ２１１で印刷装置制御手段４７は、指定された電子文書データをラスタライズ手段４８によりグラフィックコマンドデータに変換する。次にグラフィックコマンドデータをラスタライズ手段４８のプリンタドライバにより指定された印刷装置７のプリンタ言語データに変換する。
【００８４】
このとき、電子文書データがＰｏｒｔａｂｌｅ  Ｄｏｃｕｍｅｎｔ  Ｆｏｒｍａｔ（ＰＤＦ）、ＨＴＭＬ、Ｅｘｔｅｎｓｉｂｌｅ  Ｍａｒｋｕｐ  Ｌａｎｇｕａｇｅ（ＸＭＬ）等で記述されたものなどであって、印刷装置７自体がそのフォーマットや言語などの解釈が行えるものであるときには、印刷装置制御手段４７は、その電子文書データを、グラフィックコマンドデータに変換せず、そのままプリンタ言語データとするものとしてもよい。
【００８５】
ステップＳ２１２で印刷装置制御手段４７は指定された両面とカラーのプロパティ情報や部数をプリンタ言語データにヘッダ情報として付加し、印刷ジョブデータを生成する。そして印刷装置管理ＤＢ４６から印刷装置７のＩＰアドレスを特定し、ＩＰＰプロトコルを用いて印刷ジョブデータを印刷装置７に送信する。
【００８６】
ステップＳ２１３で印刷装置に送信された印刷ジョブデータは、印刷イメージデータに展開され、マーキングエンジンにより印刷されて電子文書印刷処理は終了する。
【００８７】
次に、印刷装置管理ＤＢ４６のフィールド情報の登録について説明する。
【００８８】
位置情報以外のフィールドは、印刷装置固有の情報やネットワーク接続用に付与される情報であるため、パソコン等から印刷管理装置６にログインし、それらのフィールド情報を印刷装置管理ＤＢ４６に登録する。
【００８９】
一方、位置情報については、印刷装置７が位置する場所を含む通信エリアをカバーする無線基地局３が必ずしも明らかでないことからその確認作業が必要である。そこで識別情報の確認作業を省き、携帯情報端末装置２から印刷装置管理ＤＢ４６に位置情報を登録する方法について図１４の位置情報登録処理フローチャートを用いて説明する。
【００９０】
ステップＳ２２０で登録権限を持つ管理者が、位置情報を登録したい印刷装置７が設置された場所で、携帯情報端末装置２から位置情報登録サービスのＵＲＬを入力すると、ＨＴＴＰプロトコルでログイン画面要求のメッセージが印刷管理装置６に送信され、ステップＳ２２１でメッセージを受信した印刷管理装置６は、ログイン画面（図５）を携帯情報端末装置２に送信する。
【００９１】
ステップＳ２２２で管理者のユーザＩＤとパスワードを入力すると、ユーザＩＤとパスワードが印刷管理装置６に送信される。
【００９２】
ステップＳ２２３で印刷管理装置６は、受信したユーザＩＤおよびパスワードから管理者であるかを確認する。確認後、ステップＳ２２４で印刷装置情報管理手段４７は、印刷装置管理ＤＢ４６から位置情報が未登録の印刷装置を特定し、未登録の印刷装置の機種名―装置番号を含む位置情報登録画面データを携帯情報端末２に送信する。
【００９３】
ステップＳ２２５で、図１５に示した位置情報登録画面に位置情報が未登録の機種名−装置番号５２が表示される。ステップＳ２２６で機種名−装置番号５２から位置情報を登録する印刷装置を選択し、位置情報登録５３を選択すると、携帯情報端末装置２に記憶されている位置情報（無線基地局３の識別情報）が印刷管理装置６に送られる。
【００９４】
このとき、すでに説明したように位置情報の取得は、位置情報データベース３２から印刷管理装置６が位置情報を取得しても実現することができる。
【００９５】
最後に、ステップＳ２２７で印刷装置管理ＤＢ４６に登録されている印刷装置の位置情報が登録され、位置情報登録処理は終了する。
【００９６】
なお、本実施例では、無線基地局３の識別情報（ＣＳ−ＩＤ）をもって携帯情報端末装置２の位置情報とする構成をとるが、他の構成として、携帯情報端末装置２に、Ｇｌｏｂａｌ  Ｐｏｓｉｔｉｏｎｉｎｇ  Ｓｙｓｔｅｍ（ＧＰＳ）などの測位機能を設け、それによって測位された位置に係る情報を自装置の位置情報とする構成としてもよい。このとき、位置情報データベース３２に位置情報として登録されるデータも、そのＧＰＳなどによって得られるデータとする。このような構成をとることで、絶対的な位置を高精度に測位する測位機能によって測位された位置に係る情報を自装置の位置情報とすることができるので、位置情報を絶対的でかつ精度の高いものとすることができる。
【００９７】
また、携帯情報端末装置２の位置情報に無線基地局３の識別情報（ＣＳ−ＩＤ）を利用する場合においても、位置情報データベース３２に登録される位置情報としては、ＧＰＳなどによって得られる絶対的な位置情報に変換して扱う構成をとってもよい。このような構成をとることで、無線基地局３の移動などに伴う位置情報データベース３２におけるデータ更新の必要性がなくせる上、汎用性の高い体系に基づくデータによって位置情報データベースを構築できるので、そのメンテナンス性・再利用性を高くできる。
【００９８】
また、本実施例では、携帯情報端末装置２の位置情報を１つとして説明したが、携帯情報端末装置２の近くに無線基地局３が複数あって、携帯情報端末装置２が複数の無線基地局３からの電波を受信できるときには、各電波についての無線受信強度を比較して最強の無線受信強度が得られている無線基地局３の識別情報を選んで取得するものとしてもよい。
【００９９】
また、各局の識別情報と無線受信強度に係る情報とを携帯情報端末装置２の位置情報とするものとてもよい。
【０１００】
このような構成をとることによって、位置情報データベース３２に登録される位置情報としては、ＧＰＳなどによって得られる絶対的な位置情報に変換して扱う場合、携帯情報端末装置２が複数の無線基地局３からの電波を受信できるとき、各無線受信強度がそれぞれの無線基地局からの距離に対応していると考えて、印刷管理装置６は、各無線基地局３の位置と各無線受信強度とから、演算によって、それらの無線基地局３によってカバーされた領域内における位置を特定することができる。携帯情報端末装置２が無線基地局３の直近にない場合であっても、そのようにして、携帯情報端末装置２の位置を精度高く知ることができる。加えて、最も近くの無線基地局がダウンなどしていても、２又は３以上の通信リンクがある限り、依然、携帯情報端末装置の位置を求めることができる。ここで、その通信リンクが２であっても、実際の場所の状況が予め分かりうるので、そのような条件（演算における判断条件を示すものとしてデータベース化しておく）を加味することで、位置を正しく求めることができる。
【０１０１】
また、携帯情報端末装置２は、ＰＨＳ端末に限らず、無線通信機能を有した可搬型の情報処理装置であれば、Ｐｅｒｓｏｎａｌ  Ｄｉｇｉｔａｌ  Ａｓｓｉｓｔａｎｃｅ（ＰＤＡ）、ノート型パーソナルコンピュータ（ＰＣ）等であっても構わない。
【０１０２】
また、無線通信は、ＰＨＳにおけるものでなくても、無線基地局の位置が固定されておりその位置が特定できる無線通信システムであれば、米国電気電子技術者協会ＩＥＥＥ８０２．１１ｂなどのいわゆるワイヤレスＬＡＮによるものであっても構わない。
【０１０３】
（実施例２）
実施例２は、位置情報を取得して登録する位置情報登録システムである。
【０１０４】
位置情報登録システムは、実施例１の電子文書印刷システムにおいて、印刷装置７を登録対象としてその位置情報を取得して印刷管理装置６（位置情報登録システムとしては、単に管理装置と呼ぶ）の印刷装置管理ＤＢ４６に登録するものであって、いわば、電子文書印刷システムを構成する一部の構成要素によるサブシステム（電子文書印刷システムから印刷装置７及びＧＷ（Ｇａｔｅ  Ｗａｙ）５４が除かれたもの）である。よって、本実施例では実施例１についての図面及び説明を援用し、以下、主に、それとは異なる事柄について述べる。
【０１０５】
本発明に係る位置情報登録システムの構成は、印刷装置７及びＧＷ５４がなく、また、印刷装置７を決めて印刷を行う機能が印刷管理装置６から除かれているほかは、実施例１の電子文書印刷システムと同様である。
【０１０６】
このような構成において、本位置情報登録システムにおける管理装置（３）は、印刷装置７を登録対象としてその位置情報を取得して印刷装置管理ＤＢ４６に登録するとき、携帯情報端末装置２が登録対象の印刷装置７の近くで操作されて送られたその位置情報に基づく情報を登録対象の位置を示す情報として登録する。このとき、登録の操作を行う者は、印刷装置に関するプロファイル情報も併せて印刷装置管理ＤＢ４６に登録する。
【０１０７】
これによって、登録対象である印刷装置に関するプロファイル情報および位置情報を管理装置に登録するとき、その位置情報を特定するために各印刷装置がどの無線基地局の通信カバーエリアに存在しているかを、印刷装置が設置された場所において携帯情報端末装置を使用するだけで検知できるので、別途の手段によって係る情報を取得する必要がなく、印刷装置の位置を示す情報を簡単に登録することができる。そして、無線基地局を通してなされる無線通信機能を有した携帯情報端末装置において、自装置と通信リンクが確立された無線基地局の識別情報を自装置の位置情報として利用することで、位置情報登録システムは、携帯情報端末装置が、設置位置が固定されている無線基地局の識別情報をもって自装置の位置を特定できる位置情報とすることができるので、位置情報を得るためだけの位置検出手段を必要とせず実現できる。
【０１０８】
なお、携帯情報端末装置２にＧＰＳなどの測位機能を設け、それによって測位された位置に係る情報を自装置の位置情報とする構成としてもよい。このような構成をとることで、測位された位置に係る情報を自装置の位置情報とすることができるので、位置情報登録システムは、印刷装置の位置を示す情報を絶対的でかつ精度の高いものとして登録することができる。
【０１０９】
また、携帯情報端末装置２の近くに無線基地局３が複数あって、携帯情報端末装置２が複数の無線基地局３からの電波を受信できるときには、各電波についての無線受信強度を比較して最強の無線受信強度が得られている無線基地局３の識別情報を選んで取得するものとしてもよい。
【０１１０】
また、各局の識別情報と無線受信強度に係る情報とを携帯情報端末装置２の位置情報とするものとてもよい。
【０１１１】
このような構成をとることによって、無線基地局を通してなされる無線通信機能を有した携帯情報端末装置において、自装置と通信リンクが確立された複数の無線基地局について、各局の識別情報と無線受信強度に係る情報とを自装置の位置情報とすることで、位置情報登録システムは、携帯情報端末装置が、複数の無線基地局と通信リンクが確立されたとき、すなわち、複数の無線基地局からそれぞれある程度離れた中間の位置にあるようなときにも、各局からの無線受信の強度を位置情報に含めることにより、各局の位置関係と各無線受信強度とに基づいて携帯情報端末装置の位置を算定することができる。そして、登録対象の位置を複数の無線基地局の位置情報に基づいて導けるので、印刷装置の位置をより精度高く求めて登録することができる。加えて、最も近くの無線基地局がダウンなどしていても、２又は３以上の通信リンクがある限り、依然、携帯情報端末装置の位置を求めることができる。
【産業上の利用可能性】
【０１１２】
本発明は、携帯電話を用いたモバイル印刷サービスなどに利用できる。
【図面の簡単な説明】
【０１１３】
【図１】本発明に係る電子文書印刷システムの構成を示す図
【図２】図１の電子文書印刷システム１における携帯情報端末装置２のブロック図
【図３】図１の電子文書印刷システム１における無線基地局３のブロック図
【図４】無線基地局３の識別情報取得を示す図
【図５】携帯情報端末装置２における利用者の認証認可を行うための画面を示す図
【図６】携帯情報端末装置２における文書印刷を行うための画面を示す図
【図７】図１の電子文書印刷システム１における印刷管理装置６のブロック図
【図８】図７のユーザ管理ＤＢ４３のデータ構造を示す図
【図９】図７の文書フォルダ４４のフォルダおよびファイルの構成図
【図１０】図７の印刷装置管理ＤＢ４６のデータ構造を示す図
【図１１】携帯情報端末装置２と印刷管理装置６における文書印刷処理前半のフローチャート
【図１２】印刷管理装置６と印刷装置７における文書印刷処理後半のフローチャート
【図１３】印刷管理装置６における位置情報取得処理のフローチャート
【図１４】携帯情報端末装置２と印刷管理装置６における位置情報登録処理のフローチャート
【図１５】携帯情報端末装置２における位置情報登録画面を示す図
【符号の説明】
【０１１４】
１    電子文書印刷システム
２    携帯情報端末装置
３    無線基地局
４    ＰＨＳ−ＧＷ
５    ＬＡＮ
６    印刷管理装置
７    印刷装置
【図１】
2008040525.tif 000003
【図２】
2008040525.tif 000004
【図３】
2008040525.tif 000005
【図４】
2008040525.tif 000006
【図５】
2008040525.tif 000007
【図６】
2008040525.tif 000008
【図７】
2008040525.tif 000009
【図８】
2008040525.tif 000010
【図９】
2008040525.tif 000011
【図１０】
2008040525.tif 000012
【図１１】
2008040525.tif 000013
【図１２】
2008040525.tif 000014
【図１３】
2008040525.tif 000015
【図１４】
2008040525.tif 000016
【図１５】
2008040525.tif 000017